【手続補正書】
【提出日】平成26年1月14日(2014.1.14)
【手続補正１】
【補正対象書類名】特許請求の範囲
【補正対象項目名】全文
【補正方法】変更
【補正の内容】
【特許請求の範囲】
【請求項１】
シート搬送路のシートを搬送する搬送部によって搬送されるシートを検知するシート検知装置において、
前記搬送部により搬送されるシートの先端に当接し得る当接面が形成されたレバー部材と、
前記当接面を前記シート搬送路に突出させて前記当接面がシートの先端に当接し得る第１位置に位置するように前記レバー部材を付勢する付勢手段と、
前記第１位置、シートに押圧されて前記付勢手段の付勢力に抗して前記シート搬送路の下流側に前記当接面を移動して前記シート搬送路から前記当接面を退避する第２位置、搬送中のシートに当接し、かつシートの後端が通過した際に前記第１位置に移動するように待機して、前記当接面が、前記第２位置に前記レバー部材が位置する時よりもシート搬送方向における上流側に位置する第３位置、の順に前記当接面がシート搬送方向の上流側を向いた状態で移動するように前記レバー部材を支持する支持機構と、
前記レバー部材の移動を検知する検知手段と、を備えた、
ことを特徴とするシート検知装置。
【請求項２】
前記レバー部材は、前記支持機構のスライド支持部によってスライド自在に支持され、且つ、回転中心を中心にして回転自在な回転体の、前記回転中心から偏心して配置された連結部にて、回動自在に支持される、
ことを特徴とする請求項１に記載のシート検知装置。
【請求項３】
前記レバー部材は、前記当接面が形成された当接部と、前記当接部と一体形成されると共に直線状に形成され、かつ長穴部が形成された本体部と、を有し、
前記支持機構は、位置決め固定されると共に前記長穴部にスライド自在に係合する支軸と、回転中心から偏心して形成された連結部にて前記本体部に回転自在に連結された回転体と、を有し、前記回転体の一方向回転により前記当接部が近似楕円運動する、
ことを特徴とする請求項１に記載のシート検知装置。
【請求項４】
前記付勢手段は、一端が位置決め固定されると共に、前記回転体の回転軸の端部に固着された連結用回転体の回転中心から偏心して形成された連結支持部に、他端が連結された付勢部材からなる、
ことを特徴とする請求項２又は３に記載のシート検知装置。
【請求項５】
前記回転体は、前記第２位置を上死点とし前記第１位置を下死点とするカムであり、
前記付勢手段は、前記カムと接触して揺動自在に形成されたカムフォロアと、一端が位置決め固定されると共に他端が前記カムフォロアに連結された付勢部材と、からなる、
ことを特徴とする請求項２又は３に記載のシート検知装置。
【請求項６】
前記カムは、２つの上死点及び２つの下死点を有する楕円形状に形成されており、
前記レバー部材は、第１レバー部材及び第２レバー部材からなり、
前記第１レバー部材と前記第２レバー部材は、交互に前記第１位置に循環移動するように、前記カムの回転中心に対して対称な位置に設けられる一対の連結部にて前記カムに回転自在に連結された、
ことを特徴とする請求項５に記載のシート検知装置。
【請求項７】
前記検知手段は、前記回転体の回転軸に固着され、前記レバー部材の当接面の移動に連動して回転するフラグ部材の位置に応じた信号を発生するセンサを備える、
ことを特徴とする請求項２から６のいずれか１項に記載のシート検知装置。
【請求項８】
前記レバー部材は、前記当接面が形成された当接部と、前記当接部と一体形成され、かつ第１被連結部及び第２被連結部が形成された本体部と、を有し、
前記支持機構は、回転中心から偏心して形成された第１連結部にて前記本体部の前記第１被連結部に回転自在に連結された第１回転体と、回転中心から偏心して形成された第２連結部にて前記本体部の前記第２被連結部に回転自在に連結された第２回転体と、前記第１回転体と前記第２回転体を同位相で同方向に回転するように連動させる連動部材と、を有し、前記第１回転体の一方向回転により前記当接部が円運動する、
ことを特徴とする請求項１に記載のシート検知装置。
【請求項９】
前記付勢手段は、一端が位置決め固定されると共に、前記第１回転体の回転軸の端部に固着された連結用回転体の回転中心から偏心して形成された連結支持部に、他端が連結された付勢部材からなる、
ことを特徴とする請求項８に記載のシート検知装置。
【請求項１０】
シート搬送路のシートを搬送する搬送部によって搬送されるシートを検知するシート検知装置において、
前記搬送部により搬送されるシートの先端に当接し得る当接面が形成されたレバー部材と、
前記当接面を前記シート搬送路に突出させて前記当接面がシートの先端に当接し得る第１位置に位置するように前記レバー部材を付勢する付勢手段と、
前記レバー部材がクランク運動するように前記レバー部材を支持する支持機構と、
前記レバー部材の移動を検知する検知手段と、を備えた、
ことを特徴とするシート検知装置。
【請求項１１】
前記支持機構は、回転中心を中心として回転し、前記回転中心から偏心して形成された連結部にて回転自在に前記レバー部材を支持する回転体を有する、
ことを特徴とする請求項１０に記載のシート検知装置。
【請求項１２】
前記支持機構は、前記レバー部材をスライド自在に支持するスライド支持部を有する、
ことを特徴とする請求項１１に記載のシート検知装置。
【請求項１３】
前記レバー部材は、前記当接面が形成された当接部と、前記当接部と一体形成されると共に直線状に形成され、かつ長穴部が形成された本体部と、を有し、
前記支持機構は、前記長穴部にスライド自在に係合する支軸を有する、
ことを特徴とする請求項１１に記載のシート検知装置。
【請求項１４】
前記回転体は、上死点と下死点を有するカムであり、
前記付勢手段は、前記カムと接触して揺動自在に形成されたカムフォロアと、前記カムフォロアを前記カムへ付勢する付勢部材と、を有し、
前記カムは、前記第１位置に前記レバー部材が位置したときに前記下死点で前記カムフォロアと接触し、かつシートに押圧されて前記付勢部材の付勢力に抗して前記シート搬送路の下流側に前記当接面を移動して、前記シート搬送路から前記当接面を退避する第２位置に前記レバー部材が位置したときに、前記上死点で前記カムフォロアと接触する、
ことを特徴とする請求項１１に記載のシート検知装置。
【請求項１５】
前記カムは、２つの上死点及び２つの下死点を有する楕円形状に形成されており、
前記レバー部材は、第１レバー部材及び第２レバー部材からなり、
前記第１レバー部材と前記第２レバー部材は、交互に前記第１位置に循環移動するように、前記カムの回転中心に対して対称な位置に設けられる一対の連結部にて前記カムに回転自在に連結された、
ことを特徴とする請求項１４に記載のシート検知装置。
【請求項１６】
前記検知手段は、前記回転体の回転軸に固着され、前記レバー部材の当接面の移動に連動して回転するフラグ部材の位置に応じた信号を発生するセンサを備える、
ことを特徴とする請求項１１に記載のシート検知装置。
【請求項１７】
前記付勢手段は、一端が位置決め固定されると共に、他端が前記回転体に連結される、
ことを特徴とする請求項１１から１６のいずれか１項に記載のシート検知装置。
【請求項１８】
前記レバー部材は、前記当接面が形成された当接部と、前記当接部と一体形成され、かつ第１被連結部及び第２被連結部が形成された本体部と、を有し、
前記支持機構は、回転中心から偏心して形成された第１連結部にて前記本体部の前記第１被連結部に回転自在に連結された第１回転体と、回転中心から偏心して形成された第２連結部にて前記本体部の前記第２被連結部に回転自在に連結された第２回転体と、前記第１回転体と前記第２回転体を同位相で同方向に回転するように連動させる連動部材と、を有する、
ことを特徴とする請求項１０に記載のシート検知装置。
【請求項１９】
前記レバー部材の先端に、搬送されるシートに接触して従動回転し得る従動ローラを設けた、
ことを特徴とする請求項１から１８のいずれか１項に記載のシート検知装置。
【請求項２０】
請求項１から１９のいずれか１項に記載のシート検知装置と、
搬送されたシートに画像を形成する画像形成部と、を備え、
前記画像形成部は、前記検知手段によるシートの検知に基づき、搬送されるシートに画像を形成するための画像形成動作を開始する、
ことを特徴とする画像形成装置。
【手続補正２】
【補正対象書類名】明細書
【補正対象項目名】００１０
【補正方法】変更
【補正の内容】
【００１０】
本発明は、シート搬送路のシートを搬送する搬送部によって搬送されるシートを検知するシート検知装置において、前記搬送部により搬送されるシートの先端に当接し得る当接面が形成されたレバー部材と、前記当接面を前記シート搬送路に突出させて前記当接面がシートの先端に当接し得る第１位置に位置するように前記レバー部材を付勢する付勢手段と、前記第１位置、シートに押圧されて前記付勢手段の付勢力に抗して前記シート搬送路の下流側に前記当接面を移動して前記シート搬送路から前記当接面を退避する第２位置、搬送中のシートに当接し、かつシートの後端が通過した際に前記第１位置に移動するように待機して、前記当接面が、前記第２位置に前記レバー部材が位置する時よりもシート搬送方向における上流側に位置する第３位置、の順に前記当接面がシート搬送方向の上流側を向いた状態で移動するように前記レバー部材を支持する支持機構と、前記レバー部材の移動を検知する検知手段と、を備えた、ことを特徴とするシート検知装置に関する。
また、シート搬送路のシートを搬送する搬送部によって搬送されるシートを検知するシート検知装置において、前記搬送部により搬送されるシートの先端に当接し得る当接面が形成されたレバー部材と、前記当接面を前記シート搬送路に突出させて前記当接面がシートの先端に当接し得る第１位置に位置するように前記レバー部材を付勢する付勢手段と、前記レバー部材がクランク運動するように前記レバー部材を支持する支持機構と、前記レバー部材の移動を検知する検知手段と、を備えた、ことを特徴とするシート検知装置に関する。
【手続補正３】
【補正対象書類名】明細書
【補正対象項目名】００３５
【補正方法】変更
【補正の内容】
【００３５】
付勢バネ２７は、一端がレバー駆動部材２６の連結支持部２６ａに連結され、他端が給紙フレーム２０に位置決め固定されている。付勢バネ２７は、当接面２３ｄが第１位置に位置するように、レバー駆動部材２６、回転軸２４ａ，２５ａ及び回転体対２４，２５を介して回動レバー２３をシート搬送方向の上流側に付勢する。例えば、付勢バネ２７は、シートＳの先端に衝突されて回動した回動レバー２３をレバー駆動部材２６を介してｚ３方向（後述の図７（ｂ）参照）に付勢することで当接部２３ａを第１位置に位置させる。
【手続補正４】
【補正対象書類名】明細書
【補正対象項目名】００４１
【補正方法】変更
【補正の内容】
【００４１】
次に、図５（ａ）に示すように、搬送ローラ対１８、１９によって搬送されるシートＳの先端が回動レバー２３の当接面２３ｄに当接すると、シートＳは、付勢バネ２７で付勢されたレバー駆動部材２６の保持力に抗した状態で当接面２３ｄを押圧する。シートＳに当接面２３ｄが押圧されると、付勢バネ２７の付勢力に抗してレバー駆動部材２６が図５（ａ）に示す矢印ｒ方向に回転する。このとき、遮光フラグ２９も図５（ｃ）に示すように、図５（ｃ）に示す矢印ｒ方向に回転する。レバー駆動部材２６及び遮光フラグ２９が矢印ｒ方向に回転すると、長穴部２３ｂが支軸３１にガイドされながらスライドし、回動レバー２３が回動する。回動レバー２３が回動すると、当接面２３ｄが図５（ｂ）に示す矢印ｚ１方向に移動する。
【手続補正５】
【補正対象書類名】明細書
【補正対象項目名】００４３
【補正方法】変更
【補正の内容】
【００４３】
図６（ａ）及び図６（ｂ）に示すように、シートＳの先端によって当接面２３ｄが押圧されると、長穴部２３ｂが支軸３１にガイドされながらスライドし、付勢バネ２７の付勢力に抗して回動レバー２３が回動する。回動レバー２３が回動すると、当接面２３ｄが図６（ｂ）に示す矢印ｚ２方向に移動する。同様に、レバー駆動部材２６が図６（ａ）に示す矢印ｒ方向に回転して、遮光フラグ２９も図６（ｃ）に示す矢印ｒ方向に回転する。
【手続補正６】
【補正対象書類名】明細書
【補正対象項目名】００４７
【補正方法】変更
【補正の内容】
【００４７】
このように、図４（ａ）から図９（ｃ）で示した状態を繰り返すことで、回動レバー２３は、図１０に示す回動軌跡Ｔを描きながら、当接面２３ｄがシート搬送方向の上流側を向いた状態で第１位置と、第２位置と、第３位置とを循環移動する。言い換えると、当接面２３ｄが回転体対２４，２５及びレバー駆動部材２６の一方向回転により、近似楕円運動（クランク運動）する。
【手続補正７】
【補正対象書類名】明細書
【補正対象項目名】００５４
【補正方法】変更
【補正の内容】
【００５４】
図１２（ａ）に示すように、回動レバー２２３は、本体部２２３ｅと、当接部２２３ａと、当接部２２３ａの先端に設けられた従動コロ２２と、長穴部２２３ｂと、被連結部２２３ｃと、を備える。従動コロ２２は、図１２（ｂ）に示すように、回動レバー２２３が第３位置で待機する際、従動コロ２２のローラ面がシート搬送路１５ａにて搬送されるシートＳの表面（裏面）に転がり接触可能となるように形成されている。
【手続補正８】
【補正対象書類名】明細書
【補正対象項目名】００５６
【補正方法】変更
【補正の内容】
【００５６】
以上のような構成を有する第２実施形態に係る画像形成装置１００Ａによれば、以下のような効果を奏する。第２実施形態に係る画像形成装置１００Ａのシート検知部２００Ａは、回動レバー３の先端に従動コロ２２が設けられている。そのため、回動レバー２２３の先端が第３位置でシートＳと接触した状態で待機する際、シート搬送路１５ａを搬送するシートＳの表面（裏面）に回動レバー２２３の先端を転がり接触させた状態で待機させることができる。これにより、シートＳの表面（裏面）と回動レバー２２３の先端とが擦れてシートＳの表面（裏面）に回動レバー２２３との接触跡等が形成されることを抑制することができる。
【手続補正９】
【補正対象書類名】明細書
【補正対象項目名】００６４
【補正方法】変更
【補正の内容】
【００６４】
連動ギア３３３は、第１ギア３２４と第２ギア３３２との間に配置されており、第１ギア３２４及び第２ギア３３２に噛合して第１ギア３２４及び第２ギア３３２を同位相で同方向に回転させる。第１ギア３２４及び第２ギア３３２は、連動ギア３３３により同一周期で同方向に回転する。
【手続補正１０】
【補正対象書類名】明細書
【補正対象項目名】００７２
【補正方法】変更
【補正の内容】
【００７２】
このように、上述した動作を繰り返すことで、回動レバー３２３は、図１７に示す回動軌跡Ｔ２を描きながら、当接面３２３ｄがシート搬送方向の上流側を向いた状態で第１位置、第２位置、第３位置を循環移動する。言い換えると、当接面３２３ｄが第１ギア３２４、第２ギア３３２、連動ギア３３３、回転体２５及びレバー駆動部材２６の一方向回転により、円運動する。
【手続補正１１】
【補正対象書類名】明細書
【補正対象項目名】００７９
【補正方法】変更
【補正の内容】
【００７９】
回転体４２４は、円板状に形成されており、回転軸４２４ａと回転体４２４の回転中心とが一致するように回転軸４２４ａの端部に固着されている。回転体４２４は、回転中心から半径方向にオフセットした位置（偏心した位置）に突出形成された一対の連結部を構成する第２連結軸４２４ｂを備える。第２連結軸４２４ｂは、第１回動レバー４２３の被連結部４２３ｃを貫通可能に形成されている。
【手続補正１２】
【補正対象書類名】明細書
【補正対象項目名】００８２
【補正方法】変更
【補正の内容】
【００８２】
板カム４３０は、２つの上死点と２つの下死点を有する楕円形状に形成されており、板カム４３０の回転中心には、回転軸４２４ａが固着されている。つまり、板カム４３０は回転軸４２４ａを中心に、上死点及び下死点が交互に位置するように回転する。カムフォロア４３６は、押圧部材４３５に取り付けられており、板カム４３０の外周面に係合している。押圧部材４３５は、基端部において給紙フレーム２０に回動自在に取り付けられており、先端部が付勢バネ４２７と係合している。押圧部材４３５は、カムフォロア４３６を揺動自在に支持する。言い換えると、押圧部材４３５は、カムフォロア４３６により揺動される。付勢バネ４２７は、一端が給紙フレーム２０に固定支持され、他端が押圧部材４３５に連結されており、第１回動レバー４２３及び第２回動レバー５２３を第１位置に位置させる。
【手続補正１３】
【補正対象書類名】図面
【補正対象項目名】図１９
【補正方法】変更
【補正の内容】
【図１９】
2012144350.tif 000001